(57)【要約】【課題】体積が小さく、入力端子のピンが集中的に配置される指針式メーター付き駆動機構を提供する。【解決手段】本考案の駆動機構は、筒状であり、固定子ユニットのＡ相コイル及びＢ相コイルを重ねて配置し、片側に入力端子の複数のピンを集中して引き出す。この設計により、作業手間を減らすとともに、駆動機構全体の体積を大幅に減少し、組み付けを自由に工夫し、他の部品を増設できる空間を確保することができる。さらに、集中されたピンは、線の接続作業を行いやすく、リード線を自由に接続できるとのメリットを備える。【選択図】図３
0003124495.tif 000002
【実用新案登録請求の範囲】
【請求項１】
指針式メーター付きモーターの筐体内に設置され、減速機構を駆動する駆動機構であって、
筒状体、電極、コイル及び入力端子を有する固定子ユニットと、
前記固定子ユニットの筒状体の内部に設けられ、シャフト及び磁性周辺部を有する回転子ユニットと、
を含む、
指針式メーター付き駆動機構。
【請求項２】
前記固定子ユニットの前記入力端子には、ピン・リード線が設置される、
請求項１に記載の指針式メーター付き駆動機構。
【請求項３】
前記回転子ユニットの前記シャフトには、第一の小ギアが設けられ、当該第一の小ギアは、前記減速機構の第一の大ギアと噛み合い、
前記第一の大ギアの底部には、第二の小ギアが設けられ、当該第二の小ギアは、当該第二の小ギアの下方に設けられる第二の大ギアと噛み合い、
前記第二の大ギアの中心には、前記回転子ユニットの前記シャフトが固定される、
請求項１に記載の指針式メーター付き駆動機構。
【請求項４】
前記固定子ユニットの前記コイルは、上下間隔を空けて配置されるＡ相コイル及びＢ相コイルとし、前記入力端子は、当該Ａ相コイルと当該Ｂ相コイルとのピッチ間に設置される、
請求項１に記載の指針式メーター付き駆動機構。
【請求項５】
前記固定子ユニットの前記入力端子は、前記モーターの筐体に設けられるサイドホールより外部に露出する、
請求項１に記載の指針式メーター付き駆動機構。
【請求項６】
前記固定子ユニットと前記回転子ユニットは、前記固定子ユニットと前記回転子ユニットの外部に設けられるカバーによりモジュール化される、
請求項１に記載の指針式メーター付き駆動機構。
【請求項７】
前記カバーの所定部位には、組み立て固定部が設けられる、
請求項６に記載の指針式メーター付き駆動機構。
【考案の詳細な説明】
【技術分野】
【０００１】
本考案は、駆動機構に関し、特に、体積が小さく、入力端子のピンが集中的に配置される指針式メーター付き駆動機構に関する。
【背景技術】
【０００２】
図１と図２は、従来の指針式メーター駆動機構の立体分解図及び斜視図である。主要パーツのカバー１は、内部構造によって形成され、その内部のコイル２は、回転子３の拡散方向に設置されている。コイル２の長さは比較的に長く、大きなスペースを必要とするため、従来の指針式メーター駆動機構全体の体積は増大してしまう。その程度の厚みは指針式メーター駆動機構の内部に納めることは可能であるが、組み付けの工夫が制限され、周りのスペースは他の部品を取り付けることができない。また、その形状は一定であるため、メーター付き駆動機構の内部には一定の空間を確保しなければならず、組み付けのレイアウトを変更し業者の需要に合わせて製作することができない。
【０００３】
さらに、カバー１の外側に露出しているコイル２のピン５、５ａ、５ｂ、５ｃは、コイル２との間隔が相当離れているので、スペースの制限及びそれぞれの引出し距離により、各ピン５、５ａ、５ｂ、５ｃが相当離れた状態で配置され（図２に示すように、各ピンは、カバーの底部から突き出ている状態である）、線の接続作業は、不便かつ困難である。また、ピン５、５ａ、５ｂ、５ｃの間隔が相当大きいため、指針式メーター駆動機構の体積は増大し、組み付けに変化を加えることができない。
【０００４】
よって、実用性を有する便利な新規構造を開発することは当業者の目指すところである。
【考案の開示】
【考案が解決しようとする課題】
【０００５】
本考案の目的は、体積が小さく、入力端子のピンが集中的に配置される指針式メーター付き駆動機構を提供することにある。
【課題を解決するための手段】
【０００６】
前述の目的を達成するために、本考案は、固定子ユニットを筒状にすることで、固定子ユニットのＡ相コイル及びＢ相コイルを重ねて配置し、固定子ユニットの片側に入力端子のピンを複数引き出している駆動機構を提供する。これにより、駆動機構全体の体積を大幅に縮小させるとともに、組み付けを自由に工夫し、他の部品を増設できる空間を確保することもできる。
【０００７】
また、入力端子の複数のピンを片側に配置することで、取り付け作業の効率を向上させるとともに、リード線を利用して駆動機構の組み付けに新たな創意工夫をもたらすこともできる。
【考案の効果】
【０００８】
本考案は、体積が小さく、入力端子のピンが集中的に配置される指針式メーター付き駆動機構を提供する。
【考案を実施するための最良の形態】
【０００９】
次に、添付した図面を参照しながら、本考案の好適な実施例を詳細に説明する。
【００１０】
図３は、本考案の駆動機構に係る好適な実施例を示すものである。図３に示すように、駆動機構Ａは、指針式メーター付きモーターの筐体１０の所定位置に設置され、減速機構２０を動かしている。駆動機構Ａは、固定子ユニット３０と回転子ユニット４０を含む。
【００１１】
固定子ユニット３０は、筒状であり、筒状体３１、電極３２、コイル３３及び入力端子３４を含む。電極３２の複数の極歯を筒状体３１の中央穴の周辺に等間隔で配置し、そのピッチ間に絶縁ペーストを用いて仕切るようにすれば、従来の駆動機構のようにコイルが回転子の側面に放射状に配置され、大きなスペースを占用するという欠点を改善することができる。また、コイル３３を上下間隔に配置されるＡ相コイル３３１及びＢ相コイル３３２とすることで、入力端子３４をＡ相コイル３３１及びＢ相コイル３３２のピッチ間に設置することができる。さらに、入力端子３４は四ピン３４１を採用して、それらを筐体１０に設けられるサイドホール１１から外部に露出することができる。
【００１２】
回転子ユニット４０は、固定子ユニット３０の筒状体３１の内部に設置され、シャフト４１及び環状の磁性周辺部４２を含む。磁性周辺部２２には、永久磁石が所定の間隔をあけて配列されており、磁性周辺部２２を固定子ユニット３０の筒状体３１内部に設置することで、固定子ユニット３０の固定子が磁気モーメントの変換により生じた磁性と磁性周辺部２２の永久磁石の磁性が相互に作用しあい、回転子ユニット２０の回転及び停止を制御する。
【００１３】
また、回転子ユニット４０のシャフト４１には一つの小ギア２１が装着され、減速機構２０の大ギア２２と噛み合う。大ギア２２の底部には、一体成型の小ギア２３が付いており、その小ギア２３が下方のもう一つの大ギア２４と噛み合って伝動すると、その大ギア２４の中心に固定されたシャフト２５によって減速動力が出力される。
【００１４】
以上のように各部品を効率よく配置することにより駆動機構Ａ全体の体積を四分の一までに縮小し、さらに、入力端子３０を一箇所に集中させることにより組み付け作業の効率向上を実現することができる。
【００１５】
この構造において、駆動機構Ａは入力端子３４のピン３４１を集中し、線の接続作業を一定の範囲内で行えるようにするので、従来構造のように各コイルが分散し、導出されたピンが離れてしまい、組み付けが困難という問題点を改善することができる。さらに、リード線３５を上手に利用すれば（図４を参照する）、駆動機構の配置に工夫を加え、理想的な配置を実現することもできる。
【００１６】
図５は、本考案における指針式メーター付き駆動機構のもう一つの好適な実施例の立体分解図である。この構造において、固定子ユニット３０及び回転子ユニット４０の外部に一つのカバー５０を装着して一組のモジュールとしてモジュール化することができる。また、カバー５０の所定部位（本実施例では底部である）には、組み立て固定部５１を設けることができる。本実施例における組み立て固定部５１は、固定穴５１１をもつ突起部５１２であり、ボルトを使って駆動機構を筐体１０の底壁に固定することができる。
【００１７】
ゆえに、本考案における指針式メーター付き駆動機構は、コイル３３のＡ相コイル３３１及びＢ相コイル３３２を筒状構造とすることで、周辺スペースを広く確保するとともに、入力端子３４のピン３４１を筐体１０の側面に集中させて導出することで、限られた空間を有効に活用し、線を接続する作業の手間を軽減することができる。また、駆動機構内部の空間に余裕をもたせることにより、駆動機構の組み付けレイアウトを必要に応じて工夫することができるだけでなく、組み付け作業の効率を大幅に向上することもできる。
【００１８】
以上、本考案の好ましい実施例を説明したが、本考案はこの実施例に限定されず、本考案の趣旨を離脱しない限り、本考案に対するあらゆる変更は本考案の範囲に属する。
【図面の簡単な説明】
【００１９】
【図１】従来の駆動機構の立体分解図である。
【図２】従来の駆動機構の斜視図である。
【図３】本考案における好適な実施例に係る駆動機構の立体分解図である。
【図４】本考案における他の好適な実施例に係る駆動機構の立体分解図である。
【図５】本考案における他の好適な実施例に係る駆動機構の立体分解図である。
【符号の説明】
【００２０】
１          カバー
２          コイル
３          回転子
５          ピン
５ａ        ピン
５ｂ        ピン
５ｃ        ピン
Ａ          駆動機構
１０        筐体
１１        サイドホール
２０        減速機構
２１        小ギア
２２        大ギア
２３        小ギア
２４        大ギア
２５        シャフト
３０        固定子ユニット
３１        筒状体
３２        電極
３３        コイル
３３１      Ａ相コイル
３３２      Ｂ相コイル
３４        入力端子
３４１      ピン
３５        リード線
４０        回転子ユニット
４１        シャフト
４２        磁性周辺部
５０        カバー
５１        組立て固定部
５１１      固定穴
５１２      突起部
【図１】
0003124495.tif 000003
【図２】
0003124495.tif 000004
【図３】
0003124495.tif 000005
【図４】
0003124495.tif 000006
【図５】
0003124495.tif 000007